(57)【要約】【課題】  撮像レンズ体を保護するため非撮影時は撮像レンズ体を覆い、撮影時にスライドさせて撮像レンズ体を表出させるスライドカバー部を備えた電子カメラに於ける、スライドカバー部に設けた発光装置などの電気機器部と本体側との電気的接続を確実に行えるようにした機構を有する撮像装置を提供する。【解決手段】  撮像装置本体に一側面から所定の方向に延びる中空部を設け、スライドカバー部に、前記中空部に挿入可能な挿入体と、該挿入体内部に備えられ、前記電気機器部と撮像装置本体を接続して前記スライドカバー部のスライドに連動して屈伸可能とした基板、またはケーブルと、前記スライドカバー部に一端を回動可能に固定され、前記基板またはケーブルの屈伸に追随して一面を保護する保護部材とを配置した。【選択図】  図７
2006065256.tif 000002
【特許請求の範囲】
【請求項１】
撮像レンズ体を有する撮像装置本体と、該撮像装置本体に所定の方向にスライド可能に配置されて前記撮像レンズ体を保護するスライドカバー部と、該スライドカバー部に設けられた電気機器部と、
前記電気機器部と撮像装置本体を接続し前記スライドカバー部のスライド位置に応じて屈伸可能とした基板またはケーブルと、前記基板またはケーブルの屈伸に応じて変位する部材とを備えることを特徴とする撮像装置。
【請求項２】
前記電気機器部と撮像装置本体を接続し前記スライドカバー部のスライド位置に応じて屈伸可能とした基板またはケーブルと、前記スライドカバー部に一端を回動可能に固定され、前記基板またはケーブルの屈伸に応じて変位する部材とを備えることを特徴とする請求項１に記載した撮像装置。
【請求項３】
前記撮像装置本体には一側面から前記所定の方向に延びる中空部が設けられ、
前記スライドカバー部には、前記中空部に挿入可能な挿入体が設けられ、前記中空部から前記挿入部の内部にかけて配置される前記電気機器部と撮像装置本体を接続して前記スライドカバー部のスライド位置に応じて屈伸可能とした基板またはケーブルと、前記スライドカバー部に一端を回動可能に固定され、前記基板またはケーブルの屈伸に応じて変位する部材とを備えることを特徴とする請求項１または２に記載した撮像装置。
【請求項４】
前記変位する部材は、プレート状部材であることを特徴とする請求項１乃至３のいずれかに記載した撮像装置。
【請求項５】
前記変位する部材は、両端面が開口され、基板又はケーブルを挿通可能な薄型箱状部材であることを特徴とする請求項１乃至３のいずれかに記載した撮像装置。
【請求項６】
前記変位する部材は、前記スライドカバー部に一端を回動可能に固定されると共に、他端にフック状部材を備え、該フック状部材により前記基板またはケーブルを保持したことを特徴とする請求項１乃至５のいずれかにに記載した撮像装置。
【請求項７】
前記変位する部材はプレート状の保護部と、該保護部の一端に設けられた前記スライドカバー部に回動可能に固定する固定部と、他端に設けられ前記プレート状の保護部と前記基板またはケーブルを挟み込む様に配置されたローラ部と、を有していることを特徴とする請求項１乃至４に記載した撮像装置。
【請求項８】
前記スライドカバー部が前記撮像レンズ体を保護する位置にある場合、前記基板またはケーブルは一節曲げで前記挿入体内部に収納され、前記スライドカバー部が前記撮像レンズ体を露出させる位置にある場合、前記基板またはケーブルは外部空間に露出されるとともに、前記基板またはケーブルの外部側を前記変位する部材により所定部を覆われることを特徴とする請求項３に記載した撮像装置。
【発明の詳細な説明】
【技術分野】
【０００１】
本発明は、電子カメラ（デジタルカメラ）等における撮像装置に関し、特に、撮像レンズ体を保護するため非撮影時は撮像レンズ体を覆い、撮影時にスライドさせて撮像レンズ体を表出させるスライドカバー部を備えた電子カメラに於ける、スライドカバー部に設けた発光装置などの電気機器類と本体側との電気的接続を、確実に行えるようにした機構を有する撮像装置に関するものである。
【背景技術】
【０００２】
電子カメラ（デジタルカメラ）はフィルムを用いたカメラと異なり、撮像素子として用いられるＣＣＤ（電荷結合素子）などの画素数が増大しているにもかかわらず、素子自体の大きさがそれほど大型化していないため、小型化、薄型化、低価格化が進んでいる。
【０００３】
こういった小型化、薄型化の方法としては、非撮影時はレンズをカメラ本体に収納し、撮影時のみレンズを被写体方向に突出させる沈胴式、レンズの直径でカメラの厚みを規制し、光軸をカメラの高さ方向として撮影時に高さ方向を被写体に向けたり、プリズムや反射鏡で光軸を直角に曲げて厚さ方向を被写体に向けて撮影できるようにして、レンズ系の長さを変えないようにした方式などが実用化されている。
【０００４】
このうち、レンズを沈胴式とする方式では、非撮影時に沈胴したレンズを保護するためにスライド式のカバーを設け、そのスライドカバー部にストロボなどの発光装置や他の電気機器類を備えたものが提案されている。そしてこのようにスライドカバー部に電気機器類を設けた場合、これら電気機器類とカメラ本体とを電気的に接続する必要があるため、両者をフレキシブル基板（ＦＰＣ）で接続し、スライドカバー部の摺動に連動させてこのフレキシブル基板を伸縮できるようにしたカメラ（以下、従来技術１と称する）が提案されている。
【０００５】
また、こういったフレキシブル基板を用いた場合、その接続部分の組み立て性や耐久性が問題となるため、例えば特許文献１にはフレキシブル基板の接続作業を容易化したコネクタが、特許文献２には接続したフレキシブル基板が容易に抜けないようにしたコネクタがそれぞれ提案されている。
【０００６】
【特許文献１】特開平１０−１２５４１５号公報
【特許文献２】特開２００１−１２６７９５号公報
【発明の開示】
【発明が解決しようとする課題】
【０００７】
本発明においては、撮像レンズ体を保護するため非撮影時は撮像レンズ体を覆い、撮影時にスライドさせて撮像レンズ体を表出させるスライドカバー部を備えた電子カメラに於ける、スライドカバー部に設けた発光装置などの電気機器類と本体側との電気的接続を確実に行えるようにした機構を有する撮像装置を提供することが課題である。
【課題を解決するための手段】
【０００８】
上記課題を解決するため本発明における撮像装置は、
撮像レンズ体を有する撮像装置本体と、該撮像装置本体に所定の方向にスライド可能に配置されて前記撮像レンズ体を保護するスライドカバー部と、該スライドカバー部に設けられた電気機器部と、
前記電気機器部と撮像装置本体を接続し前記スライドカバー部のスライド位置に応じて屈伸可能とした基板またはケーブルと、前記基板またはケーブルの屈伸に応じて変位する部材とを備えることを特徴とする。
【０００９】
このように屈伸する基板またはケーブルに、屈伸に応じて変位する部材を配したことにより、基板またはケーブルは部材に守られて折れ曲がったりすることなく屈伸し、異常な動きをすることなく収納することができる。
【００１０】
そして、前記電気機器部と撮像装置本体を接続し前記スライドカバー部のスライド位置に応じて屈伸可能とした基板またはケーブルと、前記スライドカバー部に一端を回動可能に固定され、前記基板またはケーブルの屈伸に応じて変位する部材とを備えたことにより、この部材の一端がスライドカバー部に固定されているから、基板またはケーブルは確実に屈伸が行われる。
【００１１】
前記撮像装置本体には一側面から前記所定の方向に延びる中空部が設けられ、
前記スライドカバー部には、前記中空部に挿入可能な挿入体が設けられ、前記中空部から前記挿入部の内部にかけて配置される前記電気機器部と撮像装置本体を接続して前記スライドカバー部のスライド位置に応じて屈伸可能とした基板またはケーブルと、前記スライドカバー部に一端を回動可能に固定され、前記基板またはケーブルの屈伸に応じて変位する部材とを備えるたことにより、挿入体内部が外部空間と連通しているような撮像装置の場合、挿入体内部に異物の混入するのをこの部材が防ぎ、基板またはケーブルの破損や漏電などを防止することができる。
【００１２】
そして前記変位する部材は、プレート状部材、または、両端面が開口され基板又はケーブルを挿通可能な薄型箱状部材とすることが本発明の好適な実施例である。
【００１３】
さらに、前記変位する部材は前記スライドカバー部に一端を回動可能に固定されるとともに、他端にフック状部材を備え、該フック状部材により前記基板またはケーブルを保持したことで、基板またはケーブルを確実に屈伸させることができる。
【００１４】
また、前記変位する部材はプレート上の保護部と、該保護部の一端に設けられた前記スライドカバー部に回動可能に固定する固定部と、他端に設けられ前記保護部と前記基板またはケーブルを挟み込む様に配置されたローラ部とを設けることで、変位する部材による基板またはケーブルの破損も防止することができる。
【００１５】
そして、前記スライドカバー部が前記撮像レンズ体を保護する位置にある場合、前記基板またはケーブルは一節曲げで前記挿入体内部に収納され、前記スライドカバー部が前記撮像レンズ体を露出させる位置にある場合、前記基板またはケーブルは外部空間に露出されると共に、前記基板又はケーブルの外部側を前記変位する部材により所定部を覆われるようにすることにより基板またはケーブルが痛んだりすることなく撮像装置内部に収容することができる。
【発明の効果】
【００１６】
本発明によれば、撮像レンズ体を保護するため非撮影時は撮像レンズ体を覆い、撮影時にスライドさせて撮像レンズ体を表出させるスライドカバー部を備えた電子カメラに於いて、スライドカバー部に設けた発光装置などの電気機器部と撮像装置本体との電気的接続を確実に行える撮像装置を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１８】
図１乃至図４は、本発明の撮像装置を備えた一例の電子カメラの概略を説明するための図であり、図１は非撮影状態の電子カメラ１０を正面側（被写体側）から示す斜視図、図２は電子カメラ１０を同じく背面側から示す斜視図、図３は撮影時の電子カメラ１０を正面側から見た図、図４は同じく背面側から見た図である。
【００１９】
図示の電子カメラ１０は、撮像装置本体１１を有し、この撮像装置本体１１の前面（正面：被写体）側には、撮像レンズ体２１（図３参照）が装着されている。この撮像レンズ体２１は、レンズユニットの一部を構成し、図示はしないが、レンズユニットはさらにシャッタ機構及びＣＣＤ（電荷結合素子）を有している。
【００２０】
さらに、撮像装置本体１１にはスライドカバー部１２が装着され、このスライドカバー部１２は、撮像装置本体１１に、図１に実線矢印で示す方向にスライド可能に支持されており、このスライドカバー部１２によって非撮影時には撮像レンズ体２１が保護される。つまり、スライドカバー部１２は撮像レンズ体２１を覆う第１の位置と撮像レンズ体２１を露出させる第２の位置との間でスライド可能となっている。
【００２１】
このスライドカバー部１２は、正面側に位置する正面部（レンズカバー部）１２ａ、正面側から見て右側面側に位置する右側面部１２ｂと、背面側に位置する背面部（表示部カバー部）１２ｃとを有しており、撮像装置本体１１を正面部１２ａと背面部１２ｃとで挟むようにして、撮像装置本体１１にスライド可能に配置されている。図示の例では、正面部１２ａから右側面部１２ｂにわたって、つまり、二面にわたってストロボ発光部１３が形成されており（スライドカバー部１２が開く方向の端部側において、スライドカバー部１２の前面及び少なくとも前面に連続する側面にストロボ発光部を形成する）、このストロボ発光部１３からストロボ撮影の際、光が発光される。なお、上述の例では、撮像装置本体１１、撮像レンズ体２１、スライドカバー部１２によって撮像装置１６が構成される。
【００２２】
図２に示すように、撮像装置本体１１の背面には表示部（例えば、液晶ディスプレイ）１４が配置されるとともに、操作部１５が配置されており、操作部１５には、例えば、レリーズボタン、モードダイヤル、及び各種ファンクションキー等が備えられている。そして、前述の第１の位置にスライドカバー部１２が位置付けられている際には、背面部１２ｃによって液晶ディスプレイ１４の一部分が覆われた状態となる（背面部１２ｃは液晶ディスプレイ１４の全てを覆うようにしてもよいが、少なくとも液晶ディスプレイ１４の一部を覆うようにすればよい）。
【００２３】
図３及び図４を参照して、電子カメラ１０で撮影を行う際には、スライドカバー部１２を第１の位置から第２の位置にスライドさせる。これによって、図３に示すように、撮像レンズ体２１が露出し、主電源がオン状態となって、液晶ディスプレイ１４が明るくなる。この際、図４に示すように、スライドカバー部１２の背面部１２ｃがスライドして、液晶ディスプレイ１４の全てが露出することになる。また、スライドカバー１２のスライドによってストロボ発光部１３は撮像レンズ体２１の取付位置よりもさらに外側に移動することになって、ストロボ撮影の際には、撮像レンズ体２１とストロボ発光部１３との距離が大きくなり、赤目現象などを防止することができる。
【００２４】
図３に示すように、シャッターボタン２２は撮像装置本体１１の上面の一端部側に配置されており、スライドカバー部１２はシャッターボタン２２の配置された一端部側とは逆の端部側方向にスライドする。これによって、電子カメラ１０を両手で把持して撮影を行う際、シャッターボタン操作を行う手とは別の手でスライドカバー部１２をスライド操作することができる。
【００２５】
ストロボ撮影を行う際には、操作部１５によってストロボ撮影モードをオンするとともに、各種撮影モード、画像再生モード、及びフラッシュ待ち時間等を設定する。この各種撮影モードには、例えば、「通常撮影」、「連写撮影」、「ファイン撮影」、「静止画」、及び「動画」等があり、画像再生モードには「静止画」及び「動画」等がある。そして、画像再生モードを設定すると、撮影後液晶画面１４に撮影した画像が再生表示される。これら各種撮影モード、画像再生モード、及びフラッシュ待ち時間等は動作モードと呼ばれ、撮像装置本体１１に収納されたマイクロプロセッサ（制御手段及び電源オン手段：図示せず）は、動作モードに応じて光の強さ、色を変化させることや、点滅させる等、ストロボ発光部１３からの発光を制御することができる。
【００２６】
前述のシャッタ機構は、例えば、オートフォーカス（ＡＦ）機構、絞り機構、及びフィルタ機構等を有しており、レリーズ時における露光を制御する。撮像レンズ体２１から入射した被写体等の光学像は、ＣＣＤに結像されて光学像が電気信号に変換される。そして、マイクロプロセッサによってＣＣＤからの出力信号（電気信号）は、所定のサンプリング周波数でサンプリングされてデジタル値（デジタル画像データ）に変換され、デジタル画像データを色差成分と輝度成分に分けて、例えばＪＰＥＧ（Ｊｏｉｎｔ  Ｐｈｏｔｏｇｒａｐｈｉｃ  Ｅｘｐｅｒｔｓ  Ｇｒｏｕｐ）準拠の画像圧縮／伸長のための直交変換及びハフマン符号化／復号化等の処理が行われる。そして、このようにして圧縮処理された画像データは一旦メモリに記憶される。
【００２７】
つまり、図示の電子カメラでは、レリーズボタン又はシャッターボタン２２を押下する以前から、ＣＣＤによって捉えられている画像を液晶ディスプレイ１４にリアルタイムで表示し、液晶ディスプレイ１４は電子的に撮像視野を確認するための電子ファインダ機能を有しており、この電子ファインダを観察しつつ、レリーズボタン等を操作して撮像を行うことになる。この際、必要に応じてストロボ発光部１３を発光させ、撮像によって得られた画像データは、ファンクションキーによって再生操作を行うと、随時撮像結果として液晶ディスプレイ１４に表示される。
【００２８】
このようにして、液晶ディスプレイ１４には撮像前及び撮像中のデジタル画像データがリアルタイムで表示され、電子ファインダとして機能し、さらに、撮像後のデジタル画像データ及び伸長されて復元された記録画像データが表示される。また、液晶ディスプレイ１４には電子カメラの動作状態等のモード表示が行われる。なお、電子カメラの電源部には、バッテリーが用いられ、バッテリーは、Ｎｉ−Ｃｄ（ニッケルカドミウム）電池、ニッケル水素電池、又はリチウム電池等が用いられる。
【００２９】
図示の電子カメラでは、ストロボ発光部１３を撮像装置１６の前面（被写体側の面）から少なくとも前面に連続する一側面にわたって形成するようにしたから、ストロボ撮影の際、簡単な構成で広範囲にストロボ発光部１３から光を照射することができることになり、しかもストロボ発光部１３の発光状況を被写体側のみならず、撮影者側からも容易に視認することができる。
【００３０】
また、ここでは、撮像レンズ体２１を保護するスライドカバー部（レンズカバー）１２にストロボ発光部１３を配置して、スライドカバー部１２が開く方向の端部側において、スライドカバー部１２の前面及び少なくとも前面に連続する側面にストロボ発光部１３を形成するようにしたから、スライドカバー部１２をスライドさせて撮像レンズ体２１を露出させた際には、ストロボ発光部１３と撮像レンズ体２１の距離が大きくなり、ストロボ撮影の際に生じる赤目現象を低減できる。
【００３１】
さらに、スライドカバー部１２は前面部と背面部とを有し、前面部によって撮像レンズ体２１が覆われている際には、背面部によって液晶ディスプレイ１４の少なくとも一部が覆われるようにしたので、非撮影時においては、スライドカバー部１２によって撮像レンズ体２１が保護されると共に、液晶ディスプレイ１４の保護も行われる。スライドカバー部１２をスライドさせて撮像レンズ体２１を露出させた時に主電源がオンされるようにし、また逆に、スライドカバー部１２をスライドさせて撮像レンズ体２１を該スライドカバー部１２によって覆うと、電源がオフされるようにしたので、使用動作と主電源のオン・オフが一致しており、電源のオフを失念することがない。
【００３２】
加えて、シャッターボタン２２を撮像装置本体の上面の一端部側に配置して、スライドカバー部１２はシャッターボタン２２の配置された一端部側とは逆の端部側方向にスライドするようにしたから、電子カメラ１０を両手で把持して撮影を行う際、シャッターボタン２２の操作を行う手（指）とは別の手でスライドカバー部１２をスライド操作することができ、操作性が向上されることになる。
【００３３】
図５は撮像装置本体１１とスライドカバー部１２とを分解して示す斜視図であり、図６は電子カメラ１０のカメラ筐体を省略するとともに撮像レンズ体２１及びスライドカバー部１２を省略してストロボ発光部１３とともに正面側から示す斜視図である。図示の例では、撮像装置本体１１内に収納されるマイクロプロセッサ等の各種制御要素等は省略されている。撮像装置本体１１の一側面（撮像装置本体１１の背面側から見て左側面）には他側面（右側面）側に延びる中空部３１が形成されており、図示の例では、この中空部３１は角筒状に成形されている。この中空部３１の四辺（一側面側から他側面側に延びる四辺）には、フレーム部材（ガイド部材）３１ａ〜３１ｄが配置され、このフレーム部材３１ａ〜３１ｄによって中空部３１が規定されている。なお、この中空部３１は、スライドカバー部１２が第１の位置に位置付けられて、撮像レンズ体２１が覆われた際、後述するようにして、フレームカバー部１２が収納される奥行きを有している。
【００３４】
また図６に示したように、撮像装置本体１１内部の左右には、それぞれ後述するストロボ用コンデンサ３３、駆動用モータ３４、及びバッテリ３５が配設され、これらストロボ用コンデンサ３３、駆動用モータ３４、及びバッテリ３５に囲まれて、図５における中空部３１の隣に示した撮像レンズ体２１を保持するためのレンズユニット筐体３２が位置付けられている。
【００３５】
一方、図５に示したように、スライドカバー部１２は略角柱状のフレーム体（挿入体）１２１を有しており、フレーム体１２１の前面（正面）から側面に渡って前述のストロボ発光部１３が取り付けられている。図５に於けるフレーム体１２１の正面１２１ａ、側面１２１ｂ、及び背面１２１ｃには、前記した正面部１２ａ、側面部１２ｂ、及び背面部１２ｃが取り付けられる。そして、フレーム体１２１の上面１２１ｄ及び下面１２１ｅは、フレーム体１２１の正面１２１ａ及び背面１２１ｃに比べてその長手方向寸法が短く成形されて切り欠き部１２１ｆを形成しており、図３から明らかなように、フレームカバー部１２が撮像レンズ体２１を露出させる第２の位置にスライドされたとき、この切り欠き部１２１ｆの存在によってスライドカバー部１２の内部が外部空間と連通する。
【００３６】
そしてフレーム体１２１の内部空間には、ストロボ発光部１３に接続され、ストロボ発光部１３に高電圧（ストロボ電圧）を供給するストロボユニット４３（図７、図８参照）が配設されている。ストロボユニット４３の長手方向寸法は、フレーム体１２１の上面１２１ｄ及び下面１２１ｅの長手方向長さ未満とされ、ストロボユニット４３はフレーム体１２１の正面１２１ａ、側面１２１ｂ、背面１２１ｃ、上面１２１ｄ、下面１２１ｅで規定される内部空間に収納されている。
【００３７】
フレーム体１２１の正面１２１ａ及び背面１２１ｃの長手方向辺（長手方向エッジ）１２２ａ〜１２２ｄ（エッジ１２２ｂは示されていないが、エッジ１２２ａに対向するエッジである）は、それぞれガイド部材として機能するフレーム部材３１ａ〜３１ｄに案内されて、前述の中空部３１に挿入される。これによって、フレーム体１２１、つまり、スライドカバー部１２が中空部３１に挿入されることになるが、フレーム体１２１は、上面１２１ｄ又は下面１２１ｅのいずれかが中空部３１を規定する奥行き側端部に当接した際、その挿入が停止される。この位置が前述した第１の位置である。
【００３８】
前述のように、フレーム体１２１の正面１２１ａ及び背面１２１ｃはその長手方向長さが上面１２１ｄ及び１２１ｅよりも長いから、フレーム部材３１ａ〜３１ｄに案内されつつ中空部３１から出てそれぞれ撮像装置本体１１の正面及び背面に沿って図５に左側に移動することになる。この結果、第１の位置においては、フレーム体１２１の正面１２１ａ（つまり、スライドカバー部１２の正面部１２ａ）及びフレーム体１２１の背面１２１ｃ（つまり、スライドカバー部１２の背面部１２ｃ）によってそれぞれ撮像レンズ体２１及び液晶表示部１４が覆われることになる。
【００３９】
このようにして、スライドカバー部１２を撮像装置本体１１に形成された中空部３１に収納すると、スライドカバー部１２によって撮像レンズ体２１及び液晶ディスプレイ１４がスライドカバー部１２の一部によって覆われ、しかもスライドカバー部１２の表面にストロボ発光部１３を形成して、ストロボ発光部１３に電圧を印加するストロボユニット４３をスライドカバー部１２内に収納するようにしたから、つまり、非撮像時においては、スライドカバー部１２が撮像装置本体１１内に収納されるから、非撮影時におけるカメラ寸法を小さくすることができることになる。
【００４０】
図７は、実施形態の電子カメラ１０におけるスライドカバー部１２の内部空間に収容されたストロボ発光部１３などの電気機器部と、撮像装置本体１１とを電気的に接続するフレキシブル基板またはフレキシブルフラットケーブル４０の収納機構を説明するための斜視図であり、図７（Ａ）、（Ｂ）はスライドカバー部１２を、撮像レンズ体２１を露出させる第２の位置とし、図７（Ａ）は撮像レンズ体２１側から見た斜視図、図７（Ｂ）は表示部１４側から見た斜視図、図７（Ｃ）はスライドカバー部１２を、撮像レンズ体２１を隠す第１の位置として撮像レンズ体２１側から見た斜視図、図８は、このフレキシブル基板またはフレキシブルフラットケーブル４０の収納状態を示した電子カメラ１０の断面図であり、図８（Ａ）はスライドカバー部１２を、撮像レンズ体２１を露出させる第２の位置とした断面図、図８（Ｂ）はスライドカバー部１２を、撮像レンズ体２１を隠す第１の位置とした断面図である。
【００４１】
実施形態の電子カメラ１０におけるスライドカバー部１２には、ストロボ発光部１３やストロボユニット４３、図示していないスピーカ、マイクなどの電気機器類が収容され、これら電器機器部である電気機器類は、図７、図８に示したようなフレキシブル基板、またはフレキシブルフラットケーブル（以下ＦＰＣ／ＦＦＣと略称する）４０を用いた機構により、撮像装置本体１１と電気的に接続される。ここで、ＦＰＣ／ＦＦＣは例示であり屈伸可能であればよく、例えば複数の基板をケーブルで繋いだものや、また、１又は２以上の線ケーブルでもよい。図中４１はＦＰＣ／ＦＦＣの屈伸に応じて変位する部材であり、ＦＰＣ／ＦＦＣの保護部材として作用するプレート４４の先端部に設けられ、プレート４４との間にＦＰＣ／ＦＦＣを挟持するローラなどを用いた保持部材、４２はスライドカバー部１２への固定部材、４３はストロボ発光部１３に高電圧（ストロボ電圧）を供給するストロボユニット、４５は固定部材４２に填め込んだプレート保持部材、４６はローラ４１を保持するためプレート４４の先端に設けられたプレート保持部材、図８に於ける１２ｄはスライドカバー部１２内に設けられた内部保護用の隔壁、３１ｅは撮像装置本体１１側における中空部３１の奥に設けられた隔壁である。
【００４２】
前記図６に示したように、スライドカバー部１２に配されたストロボ発光部１３を発光させるための電荷を蓄えるコンデンサ３３は撮像装置本体１１側にあり、撮像装置本体１１のコンデンサ３３とスライドカバー部１２に配されたストロボ発光部１３用のストロボユニット４３とを結ぶためと、スライドカバー部１２に設けられた他の電気機器類への電源や信号送受のため、図７、図８に４０で示したＦＰＣ／ＦＦＣが用いられる。このＦＰＣ／ＦＦＣ４０は、スライドカバー部１２のスライド動作に追従し、スライド位置に応じて屈伸できるよう、スライドカバー部１２のスライド量より多めの長さを有している。ここで、ＦＰＣ／ＦＦＣの屈伸は、すべてのスライド位置に対応する必要はなく、所定のスライド位置で対応していれば良い。そして、スライドカバー部１２のスライド動作に追従し、スライド位置に応じて屈伸ができるようにするためと、前記図３に１２１ｆで示した切り欠きを通じて外部から異物が混入してＦＰＣ／ＦＦＣ４０を傷付けたりするのを防ぐため、保護部材としてのプレート４４が設けられている。
【００４３】
この保護部材はプレート４４を備え、図７に示したように一端にスライドカバー部１２への固定部材４２にプレート４４が回動可能に保持されたプレート保持部材４５が設けられ、他端にはローラ保持部材４６によってプレート４４とでＦＰＣ／ＦＦＣを挟み込むローラ４１が保持されている。つまりプレート４４は、一端をスライドカバー部１２に回動可能に固定され、他端に設けられたローラ４１によってＦＰＣ／ＦＦＣ４０を挟持して保持している。
【００４４】
そしてこれらＦＰＣ／ＦＦＣ４０、固定部材４２、ストロボユニット４３は、撮像装置本体１１に設けられた中空部から、スライドカバー部１２の挿入体内部にかけて配置されており、具体的には、図８に示したように、スライドカバー部１２内に設けられた内部保護用隔壁１２ｄ内にストロボユニット４３が配され、内部保護用隔壁１２ｄの延びる延長線上に固定部材４２が固定される。ＦＰＣ／ＦＦＣ４０は、ストロボユニット４３から固定部材４２に保持されるプレート保持部材４５を回り込み、プレート４４の端部でローラ４１とプレート４４に挟持されて、撮像装置本体１１側における中空部３１の奥に設けられた隔壁３１ｅのさらにレンズユニット筐体３２側に設けられた図示していない端子に接続される。
【００４５】
そして図７（Ｃ）、図８（Ｂ）に示したように、スライドカバー部１２を撮像レンズ体２１を隠す第１の位置とした場合、ＦＰＣ／ＦＦＣ４０は撮像装置本体１１側の隔壁３１ｅによってスライドカバー部１２の内部保護用の隔壁１２ｄ側に押しつけられ、プレート４４に設けられたローラ４１で一節曲げされて畳まれ、内部保護用の隔壁１２ｄと撮像装置本体１１側の隔壁３１ｅとで作られる空間に収納される。
【００４６】
また、スライドカバー部１２が撮像レンズ体２１を露出させる第２の位置となると、図７（Ａ）、（Ｂ）、図８（Ｂ）に示したように、ＦＰＣ／ＦＦＣ４０はスライドカバー部１２に固定された固定部材４２によって引き出されて正面部のレンズカバー部１２ａ側に延び、それに伴ってローラ４１が設けられたプレート４４が倒れていく。
【００４７】
このとき、スライドカバー部１２の切り欠き部１２１ｆにより、前記したようにスライドカバー部１２の内部が外部空間と連通するが、ＦＰＣ／ＦＦＣ４０における切り欠き部１２１ｆ側はプレート４４が保護しているから、外部から異物が混入してもＦＰＣ／ＦＦＣ４０が傷付けられたりするのは防止される。
【００４８】
このような状態で、前記図７（Ｃ）、図８（Ｂ）に示したように、スライドカバー部１２がスライドして撮像レンズ体２１を隠す第１の位置側に移動すると、ＦＰＣ／ＦＦＣ４０は撮像装置本体１１側の隔壁３１ｅによってスライドカバー部１２の内部保護用の隔壁１２ｄ側に押しつけられ、プレート４４に設けられたローラ４１で一節曲げされて畳まれ、内部保護用の隔壁１２ｄと撮像装置本体１１側の隔壁３１ｅとで作られる空間に収納される。
【００４９】
なお、以上の説明では、ＦＰＣ／ＦＦＣ４０の保護部材としてプレート４４の場合を説明してきたが、これはプレートだけに限らず、例えば両端面が開口されＦＰＣ／ＦＦＣが挿通可能な薄型箱状部材などを用いても良い。
【００５０】
以上、種々説明してきたように本発明によれば、屈伸するフレキシブル基板またはフレキシブルフラットケーブル４０に、屈伸に追随して所定部を保護する保護部材４４を配したことにより、フレキシブル基板またはフレキシブルフラットケーブル４０は保護部材４４に守られて折れ曲がったりすることなく屈伸し、異常な動きをすることなく収納することができる。また、この保護部材４４の一端をスライドカバー部１２に回動可能に固定されることで、フレキシブル基板またはフレキシブルフラットケーブル４０は確実に屈伸が行われる。また、撮像装置本体１１に中空部３１が設けられ、挿入体１２１内部が外部空間と連通しているような撮像装置の場合、挿入体内部に異物の混入するのをこの保護部材４４が防ぎ、フレキシブル基板またはフレキシブルフラットケーブル４０の破損や漏電などを防止することができる。
【産業上の利用可能性】
【００５１】
本発明によれば、撮像レンズ体を保護するため非撮影時は撮像レンズ体を覆い、撮影時にスライドさせて撮像レンズ体を表出させるスライドカバー部を備えた電子カメラに於ける、スライドカバー部に設けた発光装置などの電気機器部と本体との電気的接続を、確実に行える撮像装置を提供することができる。
【図面の簡単な説明】
【００５２】
【図１】本発明の撮像装置を備えた一例の電子カメラにおける、非撮影状態を正面側（被写体側）から示した斜視図である。
【図２】本発明の撮像装置を備えた一例の電子カメラにおける、非撮影状態を背面側から示した斜視図である。
【図３】本発明の撮像装置を備えた一例の電子カメラにおける、撮影時を正面側（被写体側）から見た斜視図である。
【図４】本発明の撮像装置を備えた一例の電子カメラにおける、撮影時を背面側から見た斜視図である。
【図５】撮像装置本体とスライドカバー部とを分解して示す斜視図である。
【図６】電子カメラのカメラ筐体を省略するとともに撮像レンズ体及びスライドカバー部を省略して撮像装置本体内部を正面側から示す斜視図である。
【図７】電子カメラにおけるスライドカバー部の内部空間に収容されたストロボ発光部などの電気機器類と、撮像装置本体とを電気的に接続するフレキシブル基板またはフレキシブルフラットケーブルの収納機構を説明するための斜視図である。
【図８】電子カメラにおけるスライドカバー部の内部空間に収容されたストロボ発光部などの電気機器類と撮像装置本体とを、電気的に接続するフレキシブル基板またはフレキシブルフラットケーブルの収納状態を示す断面図である。
【符号の説明】
【００５３】
１０  電子カメラ
１１  撮像装置本体
１２  スライドカバー部
１２ａ  レンズカバー部（正面部）
１２ｂ  右側面部
１２ｃ  背面部（表示部カバー部）
１２１  略角柱状のフレーム体（挿入体）
１２１ａ  フレーム体１２１の正面
１２１ｂ  フレーム体１２１の側面
１２１ｃ  フレーム体１２１の背面
１２１ｄ  フレーム体１２１の上面
１２１ｅ  フレーム体１２１の下面
１２２ａ〜１２２ｄ  フレーム体の正面及び背面の長手方向辺（長手方向エッジ）
１３  ストロボ発光部
１４  表示部
１５  操作部
１６  撮像装置
２１  撮像レンズ体
２２  シャッターボタン
３１  中空部
３１ａ〜３１ｄ  フレーム部材（ガイド部材）
４０  フレキシブル基板、またはフレキシブルフラットケーブル（以下ＦＰＣ／ＦＦＣ）
４１  ローラ
４２  固定部材
４３  ストロボユニット
４４  プレート
４５  プレート保持部材
４６  ローラ保持部材
【図１】
2006065256.tif 000003
【図２】
2006065256.tif 000004
【図３】
2006065256.tif 000005
【図４】
2006065256.tif 000006
【図５】
2006065256.tif 000007
【図６】
2006065256.tif 000008
【図７】
2006065256.tif 000009
【図８】
2006065256.tif 000010